(57)【要約】【課題】  プローブの設定位置を変えずに、同時に大型臓器あるいは生体内の広範な領域の超音波画像を、観察、診断する超音波画像診断装置を提供すること。【解決手段】  第１の超音波アレープローブが接続されて、超音波信号の送信を行い、第１の受信超音波信号を受信する送受信回路と、第２の超音波アレープローブが接続されて、第２の受信超音波信号の受信を、前記送受信回路の受信タイミングにおいて行う受信回路と、前記第１及び第２の受信超音波信号それぞれを、第１の超音波画像データ及び第２の超音波画像データに変換するスキャンコンバータ部と、前記スキャンコンバータ部の変換結果の第１及び第２の超音波画像データそれぞれを、第１および第２の画像表示部それぞれに、同期して表示するデュアル表示部とを具備することを特徴とする超音波画像診断装置。【選択図】図１
2010094361.tif 000002
【特許請求の範囲】
【請求項１】
第１の超音波アレープローブが接続されて、超音波信号の送信を行い、第１の受信超音波信号を受信する送受信回路と、
第２の超音波アレープローブが接続されて、第２の受信超音波信号の受信を、前記送受信回路の受信タイミングにおいて行う受信回路と、
前記第１及び第２の受信超音波信号それぞれを、第１の超音波画像データ及び第２の超音波画像データに変換するスキャンコンバータ部と、
前記スキャンコンバータ部の変換結果の第１及び第２の超音波画像データそれぞれを、第１および第２の画像表示部それぞれに、同期して表示するデュアル表示部と、
を具備することを特徴とする超音波画像診断装置。
【請求項２】
第１の超音波アレープローブが接続されて、第１の周波数の超音波信号により送信を行い、第１の受信超音波信号を受信する第１の送受信回路と、
第２の超音波アレープローブが接続されて、第２の周波数の超音波信号により送信と第２の受信超音波信号の受信を、前記第１の送受信回路と同じ送受信のタイミングで行う第２の送受信回路と、
前記第１及び第２の受信超音波信号それぞれを、第１の超音波画像データ若しくは第２の超音波画像データそれぞれに変換するスキャンコンバータ部と、
前記変換結果の第１及び第２の超音波画像データそれぞれを、第１および第２の画像表示部それぞれに表示するデュアル表示部と、
を具備することを特徴とする超音波画像診断装置。
【請求項３】
第１の超音波アレープローブ及び第２の超音波アレープローブと、
接続される超音波アレープローブの送受信を行い、超音波受信信号を出力する送受信回路と、
前記第１若しくは第２の超音波アレープローブを前記送受信回路に、超音波画像フレーム毎の切換えタイミングで交互に接続する切換え回路と、
前記切換え回路の前記切換えタイミング毎に、前記送受信回路が出力した第１若しくは第２の超音波アレープローブからの受信超音波信号それぞれを、第１の超音波画像データ若しくは第２の超音波画像データそれぞれに変換するスキャンコンバータ部と、
前記変換結果の第１及び第２の超音波画像データそれぞれを、第１および第２の画像表示部それぞれに表示するデュアル表示部と、
を具備することを特徴とする超音波画像診断装置。
【請求項４】
第１の超音波アレープローブが接続されて、第１の周波数の超音波信号により超音波画像データを取得する第１の超音波診断装置と、
第２の超音波アレープローブが接続されて、第２の周波数の超音波信号により超音波画像データを取得する第２の超音波診断装置と、
前記第１の超音波診断装置のフレーム情報信号と同期する前記第２の超音波診断装置に対するフレーム情報信号を出力し、このフレーム情報信号により前記第２の超音波診断装置が取得する超音波画像データを、前記第１の超音波診断装置の画像表示手段である統合画像表示部に入力する、この第１の超音波診断装置に具備される統合制御部と、
を具備して、前記統合画像表示部においては、この統合画像表示部により入力される前記第２の超音波診断装置が取得した超音波画像データと、前記第１の超音波診断装置の前記フレーム情報信号により取得した超音波画像データとを共に表示することを特徴とする超音波画像診断装置。
【請求項５】
前記超音波画像診断装置において、第Nの超音波アレープローブが接続され、前記第２の超音波アレープローブが接続される処理機能回路、処理機能部、若しくは超音波診断装置と同等の機能、作動する第Ｎの処理機能回路、処理機能部、若しくは超音波診断装置として増設して具備し、前記第１から第Nの超音波アレープローブが取得した超音波画像データを、N画面の画像表示画面部を有するマルチ表示部に表示する、
ことを特徴とする請求項１乃至４のいずれかに記載の超音波画像診断装置。
【発明の詳細な説明】
【技術分野】
【０００１】
本発明は、複数の超音波プローブにより異なる方向からの超音波画像データをリアルタイムで表示する超音波画像診断装置に関する。
【背景技術】
【０００２】
一般的な超音波画像診断装置では、生体内に超音波信号を1つのプローブから送受信して超音波画像データを生成し、超音波画像を表示していた。断層画像の白黒画像(Bモード像)だけでなく、送受信する超音波信号のドプラシフト信号からカラードプラ画像（ドプラモード像）を生成することにより、診断に有効な生体の形態情報および機能情報を提供することができる。
【０００３】
また、電子スキャン方式により、送受信における送信駆動あるいは受信処理の制御により、同一方向に対する多段フォーカシングや、複数方向の同時フォーカシングが可能となり、１つのプローブにより取得される超音波信号に依っても、診断に有効な超音波画像を提供できるようになってきている。
【０００４】
しかし、一般的な超音波画像診断装置による超音波画像診断においては、１つのプローブの走査する範囲（視野）は、プローブに内装される超音波送受信素子の形状サイズ及び走査線数、超音波信号伝播速度、画像表示フレーム数などの制約により、取得できる超音波画像の範囲(視野角)には限界がある。そのため、腎臓や胆のうなどの小臓器はともかく、動きの激しい心臓、大型臓器の肝臓などでは、臓器の一部分しか観察、診断することができず、臓器全体の動きを診断するには、プローブの位置を数回ずらして画像を生成する必要があるという問題点がある。
【発明の開示】
【発明が解決しようとする課題】
【０００５】
解決しようとする問題点は、超音波画像診断装置において、１つのプローブの視野には限界があり、大型臓器や広範な生体内組織を観察、診断には、超音波プローブの設定位置を変えて超音波画像を取得する必要がある点である。
【０００６】
本発明は上記のような従来の問題点に鑑みてなされたもので、プローブの設定位置を変えずに、同時に大型臓器あるいは生体内の広範な領域の超音波画像を、観察、診断する超音波画像診断装置を提供することを目的とする。
【課題を解決するための手段】
【０００７】
上記の目的を達成するために、本発明の請求項１の超音波画像診断装置は、第１の超音波アレープローブが接続されて、超音波信号の送信を行い、第１の受信超音波信号を受信する送受信回路と、第２の超音波アレープローブが接続されて、第２の受信超音波信号の受信を、前記送受信回路の受信タイミングにおいて行う受信回路と、前記第１及び第２の受信超音波信号それぞれを、第１の超音波画像データ及び第２の超音波画像データに変換するスキャンコンバータ部と、前記スキャンコンバータ部の変換結果の第１及び第２の超音波画像データそれぞれを、第１および第２の画像表示部それぞれに、同期して表示するデュアル表示部とを具備することを特徴とするものを提供する。
【０００８】
また、本発明の請求項２の超音波画像診断装置は、第１の超音波アレープローブが接続されて、第１の周波数の超音波信号により送信を行い、第１の受信超音波信号を受信する第１の送受信回路と、第２の超音波アレープローブが接続されて、第２の周波数の超音波信号により送信と第２の受信超音波信号の受信を、前記第１の送受信回路と同じ送受信のタイミングで行う第２の送受信回路と、前記第１及び第２の受信超音波信号それぞれを、第１の超音波画像データ若しくは第２の超音波画像データそれぞれに変換するスキャンコンバータ部と、前記変換結果の第１及び第２の超音波画像データそれぞれを、第１および第２の画像表示部それぞれに表示するデュアル表示部とを具備することを特徴とするものを提供する。
【０００９】
また、本発明の請求項３の超音波画像診断装置は、第１の超音波アレープローブ及び第２の超音波アレープローブと、接続される超音波アレープローブの送受信を行い、超音波受信信号を出力する送受信回路と、前記第１若しくは第２の超音波アレープローブを前記送受信回路に、超音波画像フレーム毎の切換えタイミングで交互に接続する切換え回路と、前記切換え回路の前記切換えタイミング毎に、前記送受信回路が出力した第１若しくは第２の超音波アレープローブからの受信超音波信号それぞれを、第１の超音波画像データ若しくは第２の超音波画像データそれぞれに変換するスキャンコンバータ部と、前記変換結果の第１及び第２の超音波画像データそれぞれを、第１および第２の画像表示部それぞれに表示するデュアル表示部とを具備することを特徴とするものを提供する。
【００１０】
また、本発明の請求項４の超音波画像診断装置は、第１の超音波アレープローブが接続されて、第１の周波数の超音波信号により超音波画像データを取得する第１の超音波診断装置と、第２の超音波アレープローブが接続されて、第２の周波数の超音波信号により超音波画像データを取得する第２の超音波診断装置と、前記第１の超音波診断装置のフレーム情報信号と同期する前記第２の超音波診断装置に対するフレーム情報信号を出力し、このフレーム情報信号により前記第２の超音波診断装置が取得する超音波画像データを、前記第１の超音波診断装置の画像表示手段である統合画像表示部に入力する、この第１の超音波診断装置に具備される統合制御部とを具備して、前記統合画像表示部においては、この統合画像表示部により入力される前記第２の超音波診断装置が取得した超音波画像データと、前記第１の超音波診断装置の前記フレーム情報信号により取得した超音波画像データとを共に表示することを特徴とするものを提供する。
【００１１】
さらに、本発明の請求項５の前記超音波画像診断装置においては、第Nの超音波アレープローブが接続され、前記第２の超音波アレープローブが接続される処理機能回路、処理機能部、若しくは超音波診断装置と同等の機能、作動する第Ｎの処理機能回路、処理機能部、若しくは超音波診断装置として増設して具備し、前記第１から第Nの超音波アレープローブが取得した超音波画像データを、N画面の画像表示画面部を有するマルチ表示部に表示することを特徴とするものを提供する。
【発明の効果】
【００１２】
本願発明の超音波画像診断装置によれば、少なくも２本の超音波プローブによる異なるプローブ位置からの超音波画像データを、画像表示手段のそれぞれ超音波画像表示部に表示するので、同時に大型臓器あるいは生体内の広範な領域の超音波画像を、医師あるいは検査技師が観察、診断することができる。
【発明を実施するための最良の形態】
【００１３】
以下、本発明の実施形態について、図面を用いて説明する。
【００１４】
（実施形態１）
図1は、本願発明に係る超音波画像診断装置の第１の実施形態の構成を示す模式的なブロック図である。
【００１５】
図１に示すように、本実施形態の超音波画像診断装置１０は、被検体８０を観察する超音波探触子である第１プローブ１１と第２プローブ１７とを接続している。この第１プローブ１１は、超音波電子スキャン方式の送受信を行うアレータイプの超音波探触子である。第２プローブ１７は、電子スキャン法の超音波の受信のみが行われる同じくアレータイプの受信専用超音波探触子である。これ等の第１プローブ１１及び第２プローブ１７は、被検体８０が第１プローブ１１のスキャン範囲１８〜１８ａ、並びに第２プローブ１７のスキャン範囲１９〜１９ａに共に入るように、用手的若しくはプローブスタンド（図示せず）に保持されて、操作される。
【００１６】
また、超音波画像診断装置１０は、超音波信号の送受信をする前記第１プローブ１１が接続される送受信回路１２、受信のみを行う第２プローブ１７が接続される受信回路１６、送受信回路１２及び受信回路１６からそれぞれ出力される第１受信超音波信号及び第２受信超音波信号をそれぞれ同期させる同期回路１３、この同期回路１３から出力される時系列のそれぞれの超音波信号データを、２次元（２D）若しくは３次元（３D）の空間画像データの形態に変換するスキャンコンバータ部１４、この変換結果を表示モニタ上に例えばデュアル表示の形態で超音波画像として表示するデュアル表示部１５の各機能部を備える。
【００１７】
さらに、超音波画像診断装置１０には、これ等の機能部の作動制御とスキャンパターンの設定定数値の設定を行いこの超音波画像診断装置１０全体を制御する制御ＣＰＵ部１００と、取得した超音波画像データを保管するＨＤＤ記憶部１０１とを有している。
【００１８】
本実施形態の超音波画像診断装置１０では、制御ＣＰＵ部１００によるシステム全体に対する制御により、第１プローブ１１が接続される送受信回路１２により、その接続される第1プローブ１１に備える超音波送受信素子の構成に対応する電子スキャン方式の一般的な超音波画像信号、すなわちセクタスキャン或いはリニアスキャンの超音波信号の送信及び受信を行い、受信信号に対する位相遅延の整相処理による電子フォーカシングが行われ、何れかのスキャン形態の画像データを収集する。これ等のデータは同期回路１３を経て、スキャンコンバータ部１４に入力し、制御ＣＰＵ部１００の制御の下で、第1プローブの超音波送受信素子の設定するところの表示形態、例えばセクタスキャンの場合では、プローブから扇形のカバーエリアを表示する表示形態で、リニアスキャンの場合では、プローブ正面から平行線の四辺形のカバーエリアを表示する表示形態で、データ並びを変更するなどの処理を施す。この処理の結果を、デュアル表示部１５において、デュアル表示画面の一方の表示部分に所謂超音波画像データとして、後方散乱反射超音波信号による生体形態或いは生体機能の診断に供する画像データを表示する。
【００１９】
一方、第２プローブ１７は、第１プローブ１１と同じ超音波受信素子の構成で、受信のみを行う受信回路１６により、制御ＣＰＵ部１００の制御の下で、第1プローブの受信電子フォーカシングと同じ受信タイミングで、超音波信号の受信を行う。この受信における信号処理は、第１プローブ１１がその超音波送受信素子の構成による超音波送信信号を出力し、そのカバーエリア１８〜１８ａの生体組織或いは臓器から前方散乱超音波信号、すなわち超音波信号の入射方向以外への散乱信号の一部を第２プローブ１７が受信する。受信回路１６では、この受信信号に対し、送受信回路１２の受信信号に対すると同じ位相遅延の整相処理による電子フォーカシングが行われて、第２プローブ１７がカバーするエリア１９〜１９ａ内の前方散乱超音波信号による散乱超音波画像信号を得る。
【００２０】
受信回路１６の出力である散乱超音波画像信号は、同期回路１３に入力して、そのスキャンタイミングを、第1プローブ１１による超音波画像信号のスキャンタイミングと同期させる。さらに、スキャンコンバータ部１４に入力して、制御ＣＰＵ部１００の制御の下で、第1プローブの表示形態と同じ表示するデータ並びに変更する処理を施す。
【００２１】
この処理の結果を、デュアル表示部１５において、デュアル表示画面の一方に所謂超音波画像データとして後方散乱反射超音波信号による超音波画像データを、他の一方に生体の同部位に対する前方散乱超音波信号による超音波画像データを、診断に供する超音波画像データとしてそれぞれ表示する。
【００２２】
本実施形態の超音波画像診断装置１０によれば、デュアル表示される一方の後方散乱反射超音波信号による超音波画像データは、解剖学的生体形態を断層画像として表示する。このデュアル表示の他の一方の前方散乱超音波信号による超音波画像データは、断層画像として解剖学的生体形態と必ずしも一致する画像を表示するものではないが、生体組織或いは臓器の運動に対応して超音波信号の前方散乱率が変化する情況を画像変化として表示するので、生体内における局所的な激しい運動変化部分、若しくは運動変化の停滞部位を観察することができる。
【００２３】
（実施形態２）
図２は、本願発明に係る超音波画像診断装置の第２の実施形態の構成を示す模式的なブロック図である。
【００２４】
図２に示すように、本実施形態の超音波画像診断装置２０は、被検体８０を観察する超音波探触子である第１プローブ１１と第２プローブ２８とを接続している。この第１プローブ１１は周波数ｆ１の超音波信号により、第２プローブ２８は周波数ｆ２の超音波信号により、それぞれ超音波電子スキャン方式の送受信を行うアレータイプの超音波探触子である。
【００２５】
これ等の第１プローブ１１及び第２プローブ２８は、被検体８０が第１プローブ１１のスキャン範囲、並びに第２プローブ２８のスキャン範囲に共に入るように、用手的若しくはプローブスタンド（図示せず）に保持されて、操作される。
【００２６】
また、超音波画像診断装置２０は、周波数ｆ１の超音波信号の送受信をする前記第１プローブ１１が接続され、受信信号に対する位相遅延の整相処理による電子フォーカシングが行われる送受信回路２１、同じく周波数ｆ２の超音波信号の送受信をする前記第２プローブ２８が接続され、受信信号に対する位相遅延の整相処理による電子フォーカシングが行われる送受信回路２５、この送受信回路２１及び送受信回路２５からそれぞれ出力される第１受信超音波信号及び第２受信超音波信号をそれぞれ同期させる同期回路２２及び同期回路２６、この同期回路２２及び２６から出力される時系列の超音波信号データを、２次元（２D）若しくは３次元（３D）の空間画像データの形態にそれぞれ変換するスキャンコンバータ部２３及び２７、この変換結果を表示モニタ上に例えばデュアル表示の形態で超音波画像として表示するデュアル表示部２４の各機能部を備える。
【００２７】
さらに、超音波画像診断装置２０には、これ等の機能部の作動制御とスキャンパターンの設定定数値の設定を行いこの超音波画像診断装置２０全体を制御する制御ＣＰＵ部１００と、取得した超音波画像データを保管するＨＤＤ記憶部１０１とを有している。
【００２８】
本実施形態の超音波画像診断装置２０では、制御ＣＰＵ部１００によるシステム全体に対する制御により、第１プローブ１１が接続される送受信回路２１により超音波周波数ｆ１で、また、第２プローブ２８が接続される送受信回路２５により超音波周波数ｆ２で、その接続されるプローブ１１、２８それぞれに備える超音波送受信素子の構成に対応するセクタスキャン或いはリニアスキャンの電子スキャン方式の超音波信号の送信及び受信を行い、何れかのスキャン形態の画像データを収集する。
【００２９】
これ等のデータそれぞれは、電子スキャンのスキャンタイミングを同期する同期回路２２若しくは２６をそれぞれ経て、スキャンコンバータ部２３若しくは２７それぞれに入力される。このスキャンコンバータ部２３、２７では、制御ＣＰＵ部１００の制御の下で、第1プローブ１１及び第２プローブ２８の超音波送受信素子の設定するところのセクタスキャン若しくはリニアスキャンの表示形態で、超音波画像データの画像データ並びを変更するなどの処理を施す。
【００３０】
この処理の結果を、デュアル表示部２４において、デュアル表示画面の一方の表示部分に第１プローブ１１による超音波周波数ｆ１の超音波画像データとして、他の一方の表示部分に第２プローブ２８による超音波周波数ｆ２の超音波画像データとして、異なる観察位置からの生体形態或いは生体機能の診断に供する画像データそれぞれを共に表示する。
【００３１】
本実施形態の超音波画像診断装置２０によれば、デュアル表示されるそれぞれの超音波画像データは、生体の同一部位に対して、異なる観察方向による同時超音波画像を提示できる。本実施形態の超音波画像診断装置２０によれば、異なる超音波周波数により超音波画像を取得するので、表示される超音波画像には超音波信号相互の干渉の無い鮮明な超音波断層画像若しくは超音波生体機能画像を観察することができる。
【００３２】
（実施形態３）
図３は、本願発明に係る超音波画像診断装置の第３の実施形態の構成を示す模式的なブロック図である。図３に示すように、本実施形態の超音波画像診断装置３０は、切換え回路３１、送受信回路３２、スキャンコンバータ部３４、デュアル表示部３５と、これ等の機能構成部の制御を行う制御ＣＰＵ部１００、及び取得した超音波画像データを保存するＨＤＤ記憶部１０１により構成されている。
【００３３】
また、本実施形態の超音波画像診断装置３０は、図３に示すように、被検体８０を観察する超音波探触子である第１プローブ１１ａと第２プローブ１１ｂとを接続している。この第１プローブ１１ａ及び第２プローブ１１ｂは、共に周波数ｆ１の超音波信号により、超音波電子スキャン方式の送受信を行うアレータイプの超音波探触子である。
【００３４】
これ等の第１プローブ１１ａ及び第２プローブ１１ｂは、被検体８０が第１プローブ１１のスキャン範囲に、並びに第２プローブ１７のスキャン範囲に、共に入るように、用手的若しくはプローブスタンド（図示せず）に保持されて、操作される。
【００３５】
本実施形態の超音波画像診断装置３０では、共に周波数ｆ１の超音波信号の送受信をする第１プローブ１１ａ及び第２プローブ１１ｂが、切換え回路３１を介して送受信回路３２に接続される。この切換え回路３１は、電子スキャン及び電子フォーカシングを行う送受信回路３２を、図４（ａ）に図示するタイムチャートに示すように、第１プローブ１１ａ若しくは第２プローブ１１ｂのそれぞれ１フレームの送受信期間Ｔ１若しくはＴ２毎に、送受信回路３２への接続の切換えを行う。この切換え回路３１に対する切換えのタイムチャートのタイミング情報、及び第１若しくは第２プローブそれぞれの送受信期間の送受信回路３２に対する電子スキャン及び電子フォーカシングの設定情報は、制御ＣＵＰ部１００から制御情報としてそれぞれに入力、指示される。
【００３６】
送受信回路３２では、第１若しくは第２プローブ１１ａ、１１ｂそれぞれの送受信期間３６ａ、３６ｂ若しくは３７ａ、３７ｂ毎に、制御ＣＵＰ部１００から電子スキャン及び電子フォーカシングの設定情報に基づいて、各探触子超音波素子の位相遅延を設定した電子スキャン超音波送信、各探触子超音波素子による超音波受信における整相化処理による電子フォーカシング受信を行う。この送受信回路３２から交互に出力される第１受信超音波信号及び第２受信超音波信号の時系列の超音波信号データを、スキャンコンバータ部３４により２次元（２D）若しくは３次元（３D）の空間画像データの形態にそれぞれ変換する。この変換結果を表示モニタ上に、図４（ｂ）に図示するように、例えばデュアル表示の形態３８で、第１プローブ１１ａ及び第２プローブ１１ｂにより取得した超音波画像３９ａ、３９ｂとして、デュアル表示部２４が表示する。
【００３７】
制御ＣＰＵ部１００は、上述の超音波画像診断装置３０の機能構成各部の作動制御とスキャンパターンの設定定数値の設定を行い、この超音波画像診断装置３０全体を制御する。さらに、超音波画像診断装置３０には、取得した超音波画像データを保管するＨＤＤ記憶部１０１を有している。
【００３８】
本実施形態の超音波画像診断装置３０では、制御ＣＰＵ部１００によるシステム全体に対する制御により、第１プローブ１１ａ及び第２プローブ１１ｂが接続される切換え回路３１が、送受信回路３２に１フレーム画像スキャンを行うタイミングで交互に切換えて、異なる観察位置からの生体形態或いは生体機能の診断に供する２つの視野に対する超音波画像データをほぼ同時に採取する。この取得される超音波画像データは、接続されるプローブ１１ａ、１１ｂそれぞれに備える超音波送受信素子の構成に対応するセクタスキャン或いはリニアスキャンの電子スキャン方式の超音波信号を、制御ＣＰＵ部１００によるシステム設定に基づいて送信及び受信を行い、何れかのスキャン形態の画像データである。
【００３９】
本実施形態の超音波画像診断装置３０によれば、デュアル表示されるそれぞれの超音波画像データは、生体の同一部位に対して、異なる観察方向による同時超音波画像を提示できる。また、本実施形態の超音波画像診断装置３０によれば、超音波信号相互の干渉の無い、異なる観察位置に配置した２つのプローブによる異なる視野の鮮明な超音波断層画像若しくは超音波生体機能画像を観察することができる。
【００４０】
（実施形態４）
図５は、本願発明に係る超音波画像診断装置の第４の実施形態を示す模式的なブロック構成図である。図５に示すように、本実施形態の超音波画像診断装置４０は、超音波周波数ｆ１の超音波信号を送信、受信する第１プローブ１１を接続している第１超音波診断装置４１と、超音波周波数ｆ２１の超音波信号を送信、受信する第２プローブ４４を接続している第２超音波診断装置４２と、第１及び第２超音波診断装置４１、４２それぞれから出力される第１超音波画像データ及び第２超音波画像データを、デュアル画面で表示する統合画面表示部４３とを具備して構成される。
【００４１】
さらに、本実施形態の超音波画像診断装置４０においては、マスター画像データを取得する第１超音波診断装置４１には、一般的な超音波画像診断装置における超音波画像データの取得処理機能部に加えて統合制御部４５を具備する。
【００４２】
この統合制御部４５は、第１超音波診断装置４１が取得する超音波画像データのフレーム情報信号を、第２超音波診断装置４２の取得する超音波画像データのフレーム起動の制御情報４６として出力する。また、統合制御部４５は、第２超音波診断装置４２の取得した第２超音波画像データ４７が入力され、前記フレーム情報信号の第１超音波画像データ（マスター画像データ）に同期させて、デュアル画面表示する統合画面表示部４３に、これ等の２つの超音波画像データが共に表示されるように制御する。
【００４３】
なお、前記統合制御部４５は、個別にＣＰＵ機能部回路として具備しても良いが、第１超音波診断装置４１に設けられる制御ＣＰＵ部（図示せず）に機能的に具備させることが、好適である。
【００４４】
本実施形態の超音波画像診断装置４０によれば、異なる超音波周波数により超音波画像を取得するので、表示される超音波画像には超音波信号相互の干渉の無い鮮明な超音波断層画像若しくは超音波生体機能画像を観察することができ、デュアル表示されるそれぞれの超音波画像データは、生体の種々の同一部位に対して、異なる観察方向による同時超音波画像を提示できる。
【００４５】
（実施形態５）
本願発明に係る超音波画像診断装置の第５の実施形態は、上述の第１乃至第４の実施形態の何れの実施形態に対し、第Nプローブを設けて、それぞれ実施形態の第２プローブに接続される処理機能回路、処理機能部、若しくは超音波診断装置と同等の機能、作動する第Ｎの処理機能回路、処理機能部、若しくは超音波診断装置として増設して、これ等にこの第Ｎプローブが接続されるように構成する。さらに第５の実施形態においては、そのデュアル表示部にあっては、第１から第Ｎの画像表示画面部を有するマルチ表示部により構成する。
【００４６】
本実施形態のＮ本のプローブを接続した超音波画像診断装置によれば、異なる位置に設定したＮ本のプローブにより、互いに干渉のないＮ面の超音波画像データを取得し、それぞれ超音波画像をマルチ表示部に表示できるので、担当の医師あるいは検査技師が、生体内の対象部位について、Ｎ箇所の方向からの超音波画像による観察、診断を行うことができる。
【図面の簡単な説明】
【００４７】
【図１】本願超音波画像診断装置の一実施形態の構成を示す模式的なブロック図。
【図２】本願超音波画像診断装置の他の実施形態の構成を示す模式的なブロック図。
【図３】本願超音波画像診断装置の第３の実施形態の構成を示す模式的なブロック図。
【図４】本願超音波画像診断装置の第３の実施形態の送受信期間の相互の関係を示す図。
【図５】本願超音波画像診断装置の第４の実施形態を示す模式的なブロック構成図。
【符号の説明】
【００４８】
１０、２０、３０、４０・・・超音波画像診断装置、
１１、１１ａ・・・第１プローブ、
１１ｂ、１７、２８、４４・・・第２プローブ、
１２、２１、２５、３２・・・送受信回路、
１３、２２、２６・・・同期回路、
１４、２３、２７、３４・・・スキャンコンバータ部、
１５、２４、３５・・・デュアル表示部、
１６・・・受信回路、
１８〜１８ａ、１９〜１９ａ・・・スキャン範囲、
３１・・・切換え回路、
３６ａ、３６ｂ、３７ａ、３７ｂ・・・送受信期間、
３８・・・デュアル表示の形態、
３９ａ、３９ｂ・・・取得した超音波画像、
４１・・・第１超音波診断装置、
４２・・・第２超音波診断装置、
４３・・・統合画面表示部、
４５・・・統合制御部、
４６・・・制御情報、
４７・・・第２超音波画像データ、
４８・・・デュアル表示の形態、
４９ａ、４９ｂ・・・取得した超音波画像、
８０・・・被検体、
１００・・・制御ＣＰＵ部、
１０１・・・ＨＤＤ記憶部。
【図２】
2010094361.tif 000003
【図３】
2010094361.tif 000004
【図４】
2010094361.tif 000005
【図５】
2010094361.tif 000006
【図１】
2010094361.tif 000007